(57)【特許請求の範囲】
【請求項１】
複数の貯蔵室を有する冷蔵庫本体と、前記冷蔵庫本体の貯蔵室を開閉する扉とを備え、前記冷蔵庫本体は外箱と内箱との間に発泡断熱材を充填して構成するとともに、前記貯蔵室を開閉する扉の一つは観音開き式扉とし、かつ、この観音開き式扉は一方は大きく他方は小さな扉として前記大きな扉を軸支する側の冷蔵庫本体側板部の壁厚を他方の小さな扉を軸支する側の冷蔵庫本体側板部の壁厚よりも厚く形成し、更に前記冷蔵庫本体の壁厚を厚くした厚壁部分の上下部分を仕切板によって仕切って当該厚壁部分を一辺とする四角枠部を冷蔵庫本体に形成した冷蔵庫。
【請求項２】
複数の貯蔵室を有する冷蔵庫本体と、前記冷蔵庫本体の貯蔵室を開閉する扉とを備え、前記冷蔵庫本体は外箱と内箱との間に発泡断熱材を充填して構成するとともに、前記冷蔵庫本体の最下部の貯蔵室の両側板部と底板部との連結部となるコーナ部の壁厚は前記両側板部及び底板部のコーナ部双方とも当該コーナ部以外の他の部分よりも厚く形成し、かつ、前記貯蔵室を開閉する扉の一つは観音開き式扉とし、この観音開き式扉は一方は大きく他方は小さな扉として前記大きな扉を軸支する側の冷蔵庫本体側板部の壁厚を他方の小さな扉を軸支する側の冷蔵庫本体側板部の壁厚よりも厚く形成し、更に前記冷蔵庫本体の壁厚を厚くした厚壁部分の上下部分を仕切板によって仕切って当該厚壁部分を一辺とする四角枠部を冷蔵庫本体に形成した冷蔵庫。
【請求項３】
冷蔵庫本体の最下部のコーナ部に形成した厚壁部によって形成される側板部の段差部に貯蔵室内に出し入れ自在に設ける容器のレールを設置した請求項２記載の冷蔵庫。
【請求項４】
厚壁部による底板部の段差部上面は貯蔵室の前方開口端部が低くなるように傾斜させた請求項３記載の冷蔵庫。
【請求項５】
冷蔵庫本体の四角枠部は仕切体によって左右二つの貯蔵室に区分けし、前記貯蔵室のうち開口の広い貯蔵室側の冷蔵庫本体側板部の壁厚を他方の壁厚よりも厚い厚壁部分とした請求項１または２記載の冷蔵庫。
【請求項６】
冷蔵庫本体の少なくとも側板部には真空断熱材を配置し、前記真空断熱材の下端は側板部下方部分の厚壁部とオーバーラップしない位置までにとどめて冷蔵庫本体側板部と底板部とのコーナ部は発泡断熱材のみの構成とした請求項１または２項記載の冷蔵庫。
【発明の詳細な説明】
【技術分野】
【０００１】
本発明は冷蔵庫に関し、特に冷蔵庫本体の剛性を向上させる構成に関するものである。
【背景技術】
【０００２】
近年、冷蔵庫は省エネルギー化や省スペース大容量化の観点から冷蔵庫本体の断熱性能を向上させるとともに壁厚の薄壁化が進められている。具体的には、冷蔵庫はその外箱と内箱との間に発泡断熱材を充填すると同時に真空断熱材を配置した構成として、冷蔵庫本体の断熱性を向上させ、かつ、壁厚を薄型化して省スペース大容量化を実現している。
【０００３】
そして最近では生活環境の変化等によって更なる大容量化が進行しつつあり、そのため冷蔵庫本体の剛性を高めることが大きな課題となりつつある。
【０００４】
このような課題に対処すべく従来の冷蔵庫本体は種々の工夫をなしてその剛性を高めている（例えば、特許文献１参照）。
【０００５】
図１２は上記特許文献１に記載の冷蔵庫本体の構成を示し、この冷蔵庫本体は天板１０１と両側板１０２とを有する外箱１０３の前記両側板１０２それぞれの下辺に沿って略Ｌ字状の枠補強部材１０４を設け、かつ、前記両側板１０２の正面側を前板部材１０５で連結し、更に前記外箱１０３の正面側の下コーナ部の位置において、前記前板部材１０５と前記枠補強部材１０４とを螺子１０６で連結した構成としてある。
【先行技術文献】
【特許文献】
【０００６】
【特許文献１】特開２０１３−５７４３０号公報
【発明の概要】
【発明が解決しようとする課題】
【０００７】
上記従来の構成によれば、両側板１０２と前板部材１０５と枠補強部材１０４とが連結されることによって、外箱１０３、すなわち冷蔵庫本体の剛性を高めることができる。
【０００８】
しかしながら、最近の冷蔵庫は、上記した冷蔵庫本体の大型化に加え品位向上の観点から扉がガラス扉化していて、その重量は冷蔵庫本体とガラス扉の重量が合わさってかなり大きなものとなってきており、上記従来の構成だけでは長期間の使用に耐えがたくなりつつある。
【０００９】
特に最近の冷蔵庫は前記した如く省スペース大容量化のためにその壁厚を薄型化しているから、長期間使用していると冷蔵庫本体が変形することが懸念される。
【００１０】
また、上記扉は片持ち支持しているため冷蔵庫本体側板の扉を軸支している部分が扉の片持ちモーメント荷重に抗しきれず、時間の経過とともに微妙に変形し始め、観音開き式扉の場合には左右扉の間に段差が生じこれが時間の経過とともに顕在化するということもあり得る。
【００１１】
特に観音開き式扉の一方が大きく他方が小さい場合は、冷蔵庫本体の左右側板に加わる扉の片持ちモーメント荷重の大きさが異なるため変形しやすくなり、変形懸念は大きなものとなる。
【００１２】
本発明はこのような点に鑑みてなしたもので、長期間使用していても大重量化した冷蔵庫本体の変形を抑制し信頼性を低下させることのない冷蔵庫の提供を目的としたものである。
【課題を解決するための手段】
【００１３】
本発明は上記目的を達成するため、冷蔵庫本体最下部の貯蔵室の両側板部と底板部との連結部となるコーナ部の前記両側板部及び底板部それぞれのコーナ部の壁厚を当該コーナ部以外の他の部分よりも厚くした構成としてある。
【００１４】
これにより、大重量化した冷蔵庫本体の全重量を受け止める割合の高い冷蔵庫本体の両側板部下端はその剛性が大きく向上し、冷蔵庫本体及び扉の全荷重を長期間支持し続けても変形するのを防止することができる。しかも壁厚は冷蔵庫本体下部の両側板部と底板部それぞれのコーナ部のみ厚くしているので、冷蔵庫本体最下部の貯蔵室周りの全壁厚を厚くする場合に比べ容量を大きく減少させることなく変形防止を実現することができる。
【発明の効果】
【００１５】
本発明は、上記構成により冷蔵庫本体の容量を大きく減じることなくその本体変形を長期間に亘って防止することができ、冷蔵庫に対する信頼性を維持して、省スペース大容量で信頼性の高い冷蔵庫とすることができる。
【図面の簡単な説明】
【００１６】
【図１】本発明の実施の形態１における冷蔵庫の外観斜視図
【図２】同冷蔵庫の概略縦断面図
【図３】同冷蔵庫の内部を示す正面図
【図４】同冷蔵庫の内部を示す斜視図
【図５】同冷蔵庫の冷蔵庫本体各部の壁厚を示す説明図
【図６】同冷蔵庫の要部を示す部分正面図
【図７】同冷蔵庫の冷蔵庫本体下部を示す斜視図
【図８】同冷蔵庫の冷蔵庫本体下部に設けた厚壁部の前方端部分を示す側面図
【図９】同冷蔵庫の扉軸支部分を示す正面図
【図１０】同冷蔵庫の扉軸支部分の内部を示す斜視図
【図１１】同冷蔵庫の冷蔵庫本体下部の分解斜視図
【図１２】従来の冷蔵庫における冷蔵庫本体の外箱構成を示す斜視図
【発明を実施するための形態】
【００１７】
第１の発明は、複数の貯蔵室を有する冷蔵庫本体と、前記冷蔵庫本体の貯蔵室を開閉する扉とを備え、前記冷蔵庫本体は外箱と内箱との間に発泡断熱材を充填して構成するとともに、前記冷蔵庫本体の最下部の貯蔵室の両側板部と底板部との連結部となるコーナ部の壁厚は前記両側板部及び底板部のコーナ部双方とも当該コーナ部以外の他の部分よりも厚くした構成としてある。
【００１８】
これにより、大重量化した冷蔵庫本体の全重量を受け止める割合の高い冷蔵庫本体の両側板部下端はその剛性が大きく向上し、冷蔵庫本体及び扉の全荷重を長期間支持し続けても変形するのを防止することができる。しかも壁厚は冷蔵庫本体下部の両側板部と底板部それぞれのコーナ部のみ厚くしているので、冷蔵庫本体最下部の貯蔵室周りの全壁厚を厚くする場合に比べ容量を大きく減少させることなく変形防止を実現することができる。
【００１９】
第２の発明は、複数の貯蔵室を有する冷蔵庫本体と、前記冷蔵庫本体の貯蔵室を開閉する扉とを備え、前記冷蔵庫本体は外箱と内箱との間に発泡断熱材を充填して構成するとともに、前記貯蔵室を開閉する扉の一つは観音開き式扉とし、かつ、この観音開き式扉は一
方は大きく他方は小さな扉として前記大きな扉を軸支する側の冷蔵庫本体側板部の壁厚を他方の小さな扉を軸支する側の冷蔵庫本体側板部の壁厚よりも厚く形成し、更に前記冷蔵庫本体の壁厚を厚くした厚壁部分の上下部分を仕切板によって仕切って当該厚壁部分を一辺とする四角枠部を冷蔵庫本体に形成した構成としてある。
【００２０】
これにより、大きな扉の片持ちモーメント荷重が直接加わる冷蔵庫本体側板部の強度は厚壁としたことによって高くなり、しかもこの厚壁部分を一辺とする四角枠部を形成したことにより冷蔵庫本体の扉軸支直下部分の剛性が高いものとなり、前記扉の片持ちモーメント荷重を受け続けてもこの扉の片持ちモーメント荷重に抗することができ冷蔵庫本体の変形を抑制することができる。したがって、長期間使用していても観音開き式扉の左右扉の間に段差が生じるようなことがなくなり、信頼性の高い冷蔵庫とすることができる。
【００２１】
第３の発明は、複数の貯蔵室を有する冷蔵庫本体と、前記冷蔵庫本体の貯蔵室を開閉する扉とを備え、前記冷蔵庫本体は外箱と内箱との間に発泡断熱材を充填して構成するとともに、前記冷蔵庫本体の最下部の貯蔵室の両側板部と底板部との連結部となるコーナ部の壁厚は前記両側板部及び底板部のコーナ部双方とも当該コーナ部以外の他の部分よりも厚く形成し、かつ、前記貯蔵室を開閉する扉の一つは観音開き式扉とし、この観音開き式扉は一方は大きく他方は小さな扉として前記大きな扉を軸支する側の冷蔵庫本体側板部の壁厚を他方の小さな扉を軸支する側の冷蔵庫本体側板部の壁厚よりも厚く形成し、更に前記冷蔵庫本体の壁厚を厚くした厚壁部分の上下部分を仕切板によって仕切って当該厚壁部分を一辺とする四角枠部を冷蔵庫本体に形成した構成としてある。
【００２２】
これにより、前記第１の発明による効果と第２の発明による効果を併せ持つ形となって、扉の荷重を集中的に支持する扉支持部直下部分及び冷蔵庫本体の全重量を受け止める割合の高い冷蔵庫本体下部それぞれの剛性を高めて冷蔵庫本体全体をより強靭なものとすることができ、長期間使用していても変形の少ない信頼性の高いものとすることができる。
【００２３】
第４の発明は第１または第３の発明において、前記冷蔵庫本体の最下部のコーナ部に形成した厚壁部によって形成される側板部の段差部に前記貯蔵室内に出し入れ自在に設ける容器のレールを設置した構成としてある。
【００２４】
これにより、厚壁部を利用して容器を貯蔵室底面から浮かして設置することができ、レール設置構成の合理化を図ることができるとともに、貯蔵室の底面に結露水が生じて溜まってもこの結露水中にレールが浸かり、レールに付着した結露水が凍結したりレールがさびついたりして動作不良を引き起こすのを防止でき更に信頼性の高いものとすることができる。
【００２５】
第５の発明は第４の発明において、前記厚壁部による底板部の段差部上面は貯蔵室の前方開口端部が低くなるように傾斜させた構成としてある。
【００２６】
これにより、容器を引き出した時、前記容器の重量によって容器が下がり気味になっても当該容器の底面が段差部上面に擦れるのを防止でき、貯蔵室の開口に面する部分に擦れ傷が生じて見栄えが低下する等のことを防止することができる。
【００２７】
第６の発明は、第２または第３の発明において、前記冷蔵庫本体の四角枠部は仕切体によって左右二つの貯蔵室に区分けし、前記貯蔵室のうち開口の広い貯蔵室側の冷蔵庫本体側板部の壁厚を他方の壁厚よりも厚い厚壁部分とした構成としてある。
【００２８】
これにより、四角枠部を二つの貯蔵室に区分けしたことによって四角枠部自体の剛性を更に向上することができると同時に、開口が広くて強度が弱くなりがちな方の貯蔵室の開
口強度も向上させることができ、冷蔵庫本体の変形を更に効果的に抑制して信頼性を大きく向上させることができる。
【００２９】
第７発明は、第１〜第６発明において、前記冷蔵庫本体の少なくとも側板部には真空断熱材を配置し、前記真空断熱材の下端は側板部下方部分の厚壁部とオーバーラップしない位置までにとどめて冷蔵庫本体側板部と底板部とのコーナ部は発泡断熱材のみの構成としてある。
【００３０】
これにより、冷蔵庫本体側板部と底板部とのコーナ部の強度は発泡断熱材よりも強度の高い発泡断熱材のみを充填した形となってその強度は真空断熱材を介在させた場合よりも高いものとなり、冷蔵庫本体の変形を強力に防止して信頼性を一段と高いものとすることができる。
【００３１】
以下、本発明の実施の形態について、図面を参照しながら説明する。なお、この実施の形態によって本発明が限定されるものではない。
【００３２】
（実施の形態１）
図１は本発明の実施の形態１における冷蔵庫の外観斜視図、図２は同冷蔵庫の概略縦断面図、図３〜図１１は同冷蔵庫の外箱剛性向上構成を説明するための図である。
【００３３】
図１、図２において、この実施の形態における冷蔵庫の冷蔵庫本体１は、前方に開口する金属製の外箱２と、硬質樹脂製（例えばＡＢＳ）の内箱３と、これら外箱２と内箱３との間に発泡充填した硬質の発泡ウレタン等の発泡断熱材４からなる。
【００３４】
上記冷蔵庫本体１はその内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９等の複数の貯蔵室を有する。
【００３５】
また、前記複数の貯蔵室のうち冷蔵室５の前面は、観音開き式の扉１０（１０ａ，１０ｂ）により開閉自在とし、切替室６及び製氷室７と冷凍室８と野菜室９の前面部は引き出し式の扉１１，１２，１３，１４によって開閉自在としてある。
【００３６】
上記各扉１０〜１４は冷蔵庫本体１と同様硬質のウレタンを発泡充填して断熱性を持たせてあり、更に意匠性を向上させるべくその前面はガラス板を装着して構成したガラス扉としてある。そして、前記冷蔵室５の前面の観音開き式の扉１０（１０ａ，１０ｂ）はその一側端上下部分を冷蔵庫本体１の左右側板部１ａに装着したヒンジ部材１５によって軸支してあり、その一方の扉１０ａは他方の扉１０ｂよりも大きく構成されている。
【００３７】
一方、冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２０ａと、前記した冷却器１７とを順次環状に接続してなる冷凍サイクルに冷媒を封入し、冷却運転を行うように構成してある。
【００３８】
ここで上記冷蔵庫本体１は、仕切板２１、２２、２３により本体内を仕切ることによって前記した冷蔵室５、切替室６及びこれに並設した製氷室７、冷凍室８、野菜室９を形成している。
【００３９】
そして、上記冷蔵庫本体１はその外箱２と内箱３との間に真空断熱材２４を設置して、当該真空断熱材２４の併設により発泡断熱材４のみの場合に比べその壁厚を薄くして大容
量化してある。
【００４０】
その上で更にこの冷蔵庫本体１は、図５に示すように、前記冷蔵室５よりも下方に位置する切替室６及びこれに並設した製氷室７、冷凍室８、野菜室９の壁厚Ｔ２、Ｔ３、Ｔ４、Ｔ５を、冷蔵室５の壁厚Ｔ１よりも厚く設定してある。なお、冷蔵室５の壁厚Ｔ１よりも厚くした下方の壁厚のうち、強力な断熱性を必要とする冷却温度帯の低い切替室６及びこれに並設した製氷室７と冷凍室８の壁厚Ｔ２、Ｔ３、Ｔ４は、冷却温度帯の高い野菜室の壁厚Ｔ５よりも厚く設定してある。
【００４１】
以上から、この冷蔵庫本体１の壁厚は、Ｔ２＞Ｔ３＝Ｔ４＞Ｔ５＞Ｔ１という形になっている。
【００４２】
加えて、この冷蔵庫本体１は、図７に示すように、上記冷蔵庫本体１の最下部の貯蔵室となる野菜室９の両側板部１ａと底板部１ｂとの連結部となるコーナ部Ｘの壁厚は、前記両側板部１ａ及び底板部１ｂのコーナ部双方とも当該コーナ部以外の平坦部分Ｙよりも厚い厚壁部２６（２６ａ、２８ｂ）とした構成としてある。
【００４３】
更に、前記冷蔵庫本体１は、冷蔵庫本体の全荷重に占める割合の大きい冷蔵室５の観音開き式の大きな方の扉１０ａを軸支する側の冷蔵庫本体側板部１ａの壁厚を、他方の小さな扉１０ｂを軸支する側の冷蔵庫本体側板部１ａの壁厚よりも厚くして厚壁部分２７（図５参照）を形成し、更に前記厚壁部分２７の上下部分で冷蔵庫本体１内を仕切板２１、２２により仕切ることにより当該厚壁部分２７を一辺とする四角枠部を冷蔵庫本体１に形成してある。そして、前記四角枠部は仕切板２１、２２の間に仕切体２５を設けて二つの貯蔵室、すなわち製氷室と切替室に区分けしてあり、間口の広い切替室６側の側板部に厚壁部分２７が形成してある。
【００４４】
また、図７に示すように、この冷蔵庫では、前記冷蔵庫本体１の最下部の貯蔵室となる野菜室９の両側板部１ａと底板部１ｂにかけて設けた厚壁部２６ａ、２６ｂにより形成される段差部２８に固定レール３０を設置し、容器（図示せず）は固定レール３０上を移動する移動レール２９側に設置し、野菜室９内に出し入れ自在としてある。また、上記段差部２８は、図８に示すように、その上面が野菜室９の前方開口端部ほど低くなるように傾斜させた構成としてある。
【００４５】
さらに、図１０に示すように、この冷蔵庫では、前記冷蔵庫本体１の大きい扉１０ａを軸支するヒンジ部材１５を固定する仕切板２１の端部には補強金具３１を設け、この補強金具３１の端部３１ａを側板部１ａの前面まで延設して仕切板前面装飾金具３２とともに外箱２の内面側にビス止めして補強してある。
【００４６】
また、図１１に示すように、この冷蔵庫の冷蔵庫本体１は、その前提時要件として、両側板部１ａの下端に補強金具３３を装着するとともに、両側板部１ａの前端部分に補強梁３４を配置し、この補強梁３４を前記補強金具３３にビス止め固定してあり、両側板部１ａ、補強金具３３、補強梁３４の連結により剛性を高めた形としてある。
【００４７】
以上のように構成した冷蔵庫について、以下その動作、作用について説明すると、この冷蔵庫は、まず冷蔵庫本体最下部の野菜室９の両側板部１ａと底板部１ｂとの連結部となるコーナ部Ｘの壁厚を、前記両側板部１ａ及び底板部１ｂのコーナ部双方とも当該コーナ部以外の他の部分よりも厚くして厚壁部２６を形成しているので、冷蔵庫本体１の全重量を受け止める割合の高い冷蔵庫本体１の両側板部下端は厚壁部２６によってその剛性が大きく向上し、大重量化した冷蔵庫本体１及び扉１０（１０ａ，１０ｂ）の全荷重を長期間支持し続けても変形するのを防止することができる。
【００４８】
しかも上記剛性を高めるための厚壁部２６は冷蔵庫本体下部の両側板部１ａと底板部１ｂとの連結部となるコーナ部Ｘのみに形成しているので、冷蔵庫本体最下部の野菜室９周りの全壁厚を厚くする場合に比べ容量を大きく減少させることなく変形防止を実現することができる。
【００４９】
特に、この冷蔵庫本体１では側板部１ａのみならず底板部１ｂ側にも壁厚部２６ｂを設けているので、この壁厚部２６ｂが扉１０ａを開閉するときに冷蔵庫本体１の側板部１ａと底板部１ｂとの連結コーナ部に加わるひねり方向のモーメント荷重に対する強度メンバーとして作用するようになり、側板部１ａに壁厚部２６ａのみを設けた場合に比べ冷蔵庫本体１及び扉１０（１０ａ，１０ｂ）の全荷重に対する抗力が向上し、より効果的に本体変形を防止することができる。
【００５０】
以上のようなことから、この冷蔵庫では冷蔵庫本体１の容量確保と変形防止の両立をハイレベルで実現することができる。
【００５１】
また、この実施の形態の冷蔵庫は、冷蔵庫本体１の観音開き式扉１０（１０ａ，１０ｂ）を軸支する両側板部１ａのうち、大きな扉１０ａを軸支する側の側板部１ａの壁厚を他方の小さな扉１０ｂを軸支する側の側板部１ａの壁厚よりも厚く形成し、更に前記冷蔵庫本体１の壁厚を厚くした厚壁部分２７の上下部分を仕切板２１、２２によって仕切って当該厚壁部分２７を一辺とする四角枠部を冷蔵庫本体１に形成した構成としてあるから、扉１０（１０ａ，１０ｂ）がガラス扉化されていてその荷重が大きなものであってもこの扉１０（１０ａ，１０ｂ）、特に大きな扉１０ａ側の片持ちモーメント荷重に抗して変形に耐えることができる。
【００５２】
すなわち、大きな方の扉１０ａを軸支する側の側板部１ａの壁厚を厚くしたことにより扉１０ａの片持ちモーメント荷重が直接加わる側板部分の強度が向上し、まずは小さな方の扉１０ｂを軸支している側の側板部１ａとの強度バランスが取れた形となって、左右の扉モーメント荷重が異なることによって生じやすくなる変形に対しバランスよく抗することになる。しかも上記厚壁部分２７を一辺とする四角枠部を扉軸支直下部分に形成したことにより冷蔵庫本体１の扉軸支直下部分の剛性が高いものとなり、前記扉１０（１０ａ，１０ｂ）の片持ちモーメント荷重を受け続けてもこの扉１０（１０ａ，１０ｂ）の片持ちモーメント荷重に抗することができ冷蔵庫本体１の変形を抑制することができる。
【００５３】
したがって、長期間使用していても冷蔵庫本体１の扉軸支直下部分の変形を防止でき、例えば観音開き式扉の左右扉の間に段差が生じるようなことがなくなって、信頼性の高い冷蔵庫とすることができる。
【００５４】
そして、本実施の形態の冷蔵庫は、前記した構成、すなわち両側板部１ａと底板部１ｂとの連結部となるコーナ部に厚壁部２６（２６ａ、２６ｂ）を形成した構成と、後述した構成、すなわち扉軸支部分の側板部１ａの壁厚を厚くするとともにこの厚壁部分２７を一辺とした四角枠部を形成した構成の両方を併せ持たせているので、冷蔵庫本体１の全重量を受け止める割合の高い冷蔵庫本体１下部及び扉１０の大重量化した荷重を集中的に支持する扉支持部直下部分それぞれの剛性を高めて冷蔵庫本体全体をより強靭なものとすることができ、長期間使用していても変形の少ない信頼性の高いものとすることができる。
【００５５】
また、この冷蔵庫では、前記冷蔵庫本体１の最下部のコーナ部に形成される側板部１ａの段差部２８に野菜室９内に出し入れ自在に設ける容器用の固定レール３０を設置してあるから、この固定レール３０が側板部１ａの強度メンバーとなり、さらに剛性を高めることができる。
【００５６】
しかも、冷蔵庫本体１の剛性をアップさせるために設けた厚壁部２６（２６ａ、２６ｂ）を利用して容器を野菜室底面から浮かして設置する構成とすることができ、レール設置構成の合理化を図ることができる。
【００５７】
そして、上記固定レール３０と移動レール２９は段差部２８に設けてあるので、野菜室９の底面に結露水が生じこれがたまるようなことがあっても、この結露水中に固定レール３０と移動レール２９が浸かり、固定レール３０と移動レール２９に付着した結露水が凍結したり結露水が付着することによる錆の発生等を防止でき、動作不良のない信頼性の高いものとすることができる。
【００５８】
加えて、前記厚壁部２６ｂによる段差部２８の上面は野菜室９の前方開口端部ほど低くなるように傾斜させた構成としてあるから、容器を引き出した時、前記容器の重量によって容器が下がり気味になっても移動レール２９の底面が段差部２８に擦れるのを防止でき、野菜室９の開口に面する部分に擦れ傷が生じて見栄えが低下する等のことを防止することができる。
【００５９】
一方、前記冷蔵庫本体１の扉軸支直下部分に形成した四角枠部は仕切体２５によって切替室６と製氷室７とに区分けしてあるから、四角枠部自体の剛性を向上することができ、扉軸支直下部分の変形を効果的に防止することができる。しかも、上記扉軸支直下部分に形成した厚壁部分２７は、前記開口が広い切替室６側の側板部１ａに形成しているので、開口が広くて強度が弱くなりがちな方の切替室６の開口強度も向上させることができ、冷蔵庫本体１の変形をより効果的に抑制することができる。
【００６０】
また、上記冷蔵庫本体１の側板部１ａに設けた真空断熱材２４は、側板部下方部分の厚壁部２６ａとオーバーラップしない位置までにとどめて、冷蔵庫本体側板部１ａと底板部１ｂとのコーナ部Ｘは発泡断熱材４のみの構成としてあるから、冷蔵庫本体側板部１ａと底板部１ｂとのコーナ部Ｘの強度は真空断熱材２４よりも強度の高い発泡断熱材４のみが充填した形となってその強度は真空断熱材２４を介在させた場合よりも高いものとなり、冷蔵庫本体１の変形を強力に防止して信頼性を一段と高いものとすることができる。
【００６１】
以上、本発明に係る冷蔵庫について、上記実施の形態を用いて説明したが、本発明は、これに限定されるものではない。
【００６２】
例えば、本実施の形態では、両側板部１ａと底板部１ｂとの連結部となるコーナ部に厚壁部２６（２６ａ、２６ｂ）を形成した構成と、扉軸支部分の側板部１ａの壁厚を厚くするとともにこの厚壁部分２７を一辺とした四角枠部を形成した構成の両方を併せ持たせたものを例示したが、これはいずれか一方のみの構成を持たせただけのものとしてもよく、このいずれか一方単独の構成だけを持つものであっても冷蔵庫本体１の剛性を高めることができるものである。
【００６３】
以上のように、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６４】
以上のように本発明は、冷蔵庫本体の容量を大きく減じることなくその本体変形を防止することができ、冷蔵庫に対する信頼性を維持して、省スペース大容量で信頼性の高い冷蔵庫とすることができる。よって、一般用はもちろん業務用の冷蔵庫やワインクーラーに
も幅広く適用できる。
【符号の説明】
【００６５】
１  冷蔵庫本体
１ａ  側板部
１ｂ  底板部
２  外箱
３  内箱
４  発泡断熱材
５  冷蔵室
６  切替室
７  製氷室
８  冷凍室
９  野菜室
１０、１０ａ、１０ｂ、１１、１２、１３、１４  扉
１５  ヒンジ部材
１６  冷却室
１７  冷却器
１８  送風ファン
１９  圧縮機
２０  放熱パイプ
２０ａ  キャピラリーチューブ
２１、２２，２３  仕切板
２４  真空断熱材
２５  仕切体
２６、２６ａ、２６ｂ  厚壁部
２７  厚壁部分
２８  段差部
２９  移動レール（レール）
３０  固定レール（レール）
３１  補強金具
３２  仕切板前面装飾金具
３３  補強金具
３４  補強梁
【図１】
0006688952.tif 000002
【図２】
0006688952.tif 000003
【図３】
0006688952.tif 000004
【図４】
0006688952.tif 000005
【図５】
0006688952.tif 000006
【図６】
0006688952.tif 000007
【図７】
0006688952.tif 000008
【図８】
0006688952.tif 000009
【図９】
0006688952.tif 000010
【図１０】
0006688952.tif 000011
【図１１】
0006688952.tif 000012
【図１２】
0006688952.tif 000013